(57)【要約】【課題】冷蔵庫の観音開き式扉の開閉時に発生していた部品間の衝突音を低減させ、品位に優れた冷蔵庫を提供する。【解決手段】フランジ１４を有した駆動ピン１３ａをピン摺動長孔１２ａに挿入し、さらに駆動ピン１３ａはシール柱駆動装置５ａに形成したピン案内溝９を通じてシール柱４上部のカム溝１９に挿入してシール柱４を回動する構成とするとともに、ピン摺動長孔１２ａを形成した連動レバー６ａとピン案内溝９を形成した面との間にスペーサ２０を駆動ピン１３ａに軸支しているので、第二扉３の開閉時にシール柱４が第二扉３側へ突出しないことによる使い勝手の向上を図りながら、駆動ピン１３ａ周辺のクリアランスを最小限に設定でき、扉開閉に連動した駆動ピン１３ａ動作時のガタツキを抑えることで、シール柱駆動装置内の部品同士の衝突音が減少し、冷蔵庫の扉開閉時の品位を高めることができる。【選択図】図１
2005156106.tif 000002
【特許請求の範囲】
【請求項１】
外側がヒンジにより冷蔵庫に軸支持されている一対の扉をなす第一扉と第二扉を有し、第一扉が閉じられていて第二扉を開いた状態においては、第一扉の開放側に縦設したシール柱は、第一扉より第二扉に向って突出しない第一扉の後退位置に存在し、第一扉を閉じた後に第二扉を閉じた場合に、第二扉に装着した操作体によって連動して前記シール柱を第二扉に向ってその一部を回動によって突出して、前記第一扉と第二扉とシール柱とによって冷蔵庫の収納庫をシールする位置に前進し、第一扉が開いている場合は、シール柱は第二扉に向って突出しない第一扉の後退位置に回動によって存在している冷蔵庫であって、前記第二扉に装着した操作体に当接する作用部が前記収納庫の内面に設けたシール柱駆動装置内の連動レバーの一端に形成され、前記連動レバーにおいてその作用部より回動中心を越えて反対端にピン摺動長孔を形成し、フランジを有した駆動ピンを前記ピン摺動長孔に挿入し、さらに前記駆動ピンはシール柱駆動装置に形成したピン案内溝を通じてシール柱上部のカム溝に挿入してシール柱を回動する構成とするとともに、前記ピン摺動長孔を形成した連動レバーとピン案内溝を形成した面との間にスペーサを前記駆動ピンに軸支したシール柱駆動装置を備えた冷蔵庫。
【請求項２】
スペーサは駆動ピンの移動するピン摺動長孔およびピン案内溝の幅よりも大きい円形状とし、厚みは連動レバーとピン案内溝を形成した面とのクリアランスと略同一としたことを特徴とする請求項１に記載の冷蔵庫。
【請求項３】
連動レバーに形成するピン摺動長孔の円弧内側に駆動ピンが直接衝突しないよう緩衝部材を設けた請求項１または２に記載の冷蔵庫。
【請求項４】
駆動ピンを樹脂より比重の大きい金属材料で形成したことを特徴とする請求項１から３のいずれか一項に記載の冷蔵庫。
【請求項５】
連動レバーのピン摺動長孔周縁に柔軟性素材を備えたことを特徴とする請求項１から４のいずれか一項に記載の冷蔵庫。
【請求項６】
駆動ピンの上部フランジと接するシール柱駆動装置の内部上面に、駆動ピンの動作方向に沿ってリブを設けたことを特徴とする請求項１から５のいずれか一項に記載の冷蔵庫。
【請求項７】
前記第二扉に装着した操作体に柔軟性素材を装着した請求項１から６のいずれか一項に記載の冷蔵庫。
【発明の詳細な説明】
【技術分野】
【０００１】
本発明は左右に二つの扉を有し両開きができる、すなわち観音開き式の扉を有する冷蔵庫に関するものである。
【背景技術】
【０００２】
従来の観音開き式の扉を有する冷蔵庫は、第一扉と、第二扉と、シール柱、シール柱駆動装置などから構成されている。（例えば、特許文献１参照）。
【０００３】
図７は従来の両開き式の冷蔵庫の第一扉と第二扉の状態を示す概略上面図、図８は同冷蔵庫のシール柱駆動装置の分解斜視図、図９は同冷蔵庫のシール柱駆動装置内の連動レバー部分と、シール柱の上端に設けたガイド体との関係を示す上面図、図１０は同冷蔵庫のガイド体および操作体部分の要部斜視図、図１１は同冷蔵庫の第一扉と第二扉との関係をシール柱駆動装置内の状態によって説明する要部上面図である。
【０００４】
図７において、冷蔵庫１の収納庫は両開き式の一対の扉によって開閉されるものであり、この一対の扉をなす第一扉と第二扉はそれぞれ外側がヒンジにより冷蔵庫１に軸支持されている。
【０００５】
前記、第一扉２の開放端側には、第二扉３側へ進退する様に回動するシール柱４が取付てある。このシール柱４の動作は、第一扉が開いている図７の（ａ）に示す状態では同シール柱４が内側回動位置、すなわち第一扉２の開放端から突出しない後退位置にあり、この後退位置は第一扉２が閉じ、第二扉３が開いた図７の（ｂ）に示す状態まで保持される。なお、シール柱４は前記後退位置の方に図示しないが附勢手段によって附勢されているからである。
【０００６】
次に、第二扉３を閉じると、この閉動作と連動して収納庫上方内面に配置したシール柱駆動装置（詳細を後述する）がシール柱４を後退位置に附勢する力に抗してシール柱４を図７の（ｃ）に示すように第二扉３側へ突出する前進位置まで回動し、第一扉２，第二扉３間のシールを確実に行う。
【０００７】
そして収納庫内の物品を取り出す場合には、第二扉を開くと図７の（ｄ）に示すようにシール柱駆動装置を介してシール柱４が再度後退位置まで回動され、また第一扉２を開き、第二扉３を閉じても図７の（ｅ）に示すようにシール柱４は後退位置に回動される。
【０００８】
従って第一扉２，第二扉３のいずれか一方の扉を開いた場合及び両扉を開いた場合シール柱４は第一扉２の後退位置にあり、収納庫の開口は広くできるものである。
【０００９】
図８に前記シール柱駆動装置５の構成を示す。すなわち、中間が軸支された連動レバー６がケース７に設けてあり、ケース７は上ケース部材７ａと下ケース部材７ｂを結合して構成している。そして一方の下ケース部材７ｂに、連動レバー６の中間を軸支するボス８と、同連動レバー６の回転軌跡よりも内側に傾斜したピン案内溝９とが形成してある。
【００１０】
上記シール柱駆動装置５は収納庫上方内面、詳しくは第一扉２で開閉される側に配置されており、上方庫壁１ａに補強板１０を介して上ケース部材７ａが固定されている。連動レバー６は、一端がケース７外に臨んでいて作用部１１をなしており、またケース７内に位置する他端側にはピン摺動長孔１２が形成してある。
【００１１】
１３は前記ピン摺動長孔１２及びピン案内溝９を貫通して下ケース部材７ｂよりも下方へ突出する駆動ピンで、その上端には連動レバー６への保持を目的としたフランジ部１４が形成してある。
【００１２】
連動レバー６はスプリング１５によって時計方向に附勢されており、その自由状態で作用部１１が第二扉３の開閉動作範囲に位置するように設定されている。
【００１３】
従って、第二扉３を閉じていくと同第二扉３に設けた操作体としての突起１６が作用部１１を押し、図９の（ａ）に示す状態から（ｃ）に示す状態に変化しスプリング１５に抗して図９の（ｃ）に示すように連動レバー６を反時計方向に回動することとなる。この連動レバー６の反時計方向への回動によって、駆動ピン１３はピン摺動長孔１２を摺動しつつピン案内溝９に沿って移動する。そしてシール柱４は後退回動位置において第一扉２の収納部１７に収納された形にあり、その上端にガイド体１８が一体に設けてある。そして第二扉３の開閉と連動してピン案内溝９を移動する駆動ピン１３の移動軌跡に対抗してこのガイド体１８にカム溝１９が形成してある。
【００１４】
従って、連動レバー６が図９の（ａ）の状態にあるときは、ガイド体１８は図９の（ｂ）に示すように連動レバー６に直交し、図１０に示すようにガイド体１８の下部に取付けたシール柱４を後退位置において第一扉の収納部１７に収納する。そして連動レバー６が図９の（ｃ）の状態にあるときは、ガイド体１８は図９の（ｄ）に示すように連動レバー６に平行し、ガイド体１８の下部に取付けたシール柱４は、第二扉３側へ突出する前進位置まで回動する。なお、図９の（ｂ），（ｄ）において点線で示す丸印はシール柱４が回動する支点である。
【００１５】
以上のように、図７の（ａ），（ｂ），（ｄ）に示す状態においては、第二扉３より突設した突起１６が作用部１１を押していない状態であるため、図９の（ａ）と（ｂ）に示す状態になっていてシール柱４は第一扉２の後退位置にあり、図７の（ｃ）に示す状態においては、第二扉３より突設した突起１６が作用部１１を押して図９の（ｃ）と（ｄ）に示す状態になりシール柱４は第二扉３側へ突出する前進位置まで回動する。また図７の（ｅ）の状態では第二扉３の突起１６が作用部１１を押しても、第一扉２が開放されていて第一扉２のシール柱４の上端にあるガイド体１８は、シール柱駆動装置５の駆動ピン１３に係合していないため図示しない附勢手段によって附勢されてガイド体１８は図９の（ｂ）の状態にあってガイド体１８の下端にあるシール柱４は第一扉２の後退位置にある。
【００１６】
次に、図１１の（ａ），（ｂ），（ｃ），（ｄ）により第一扉２が閉じていて、第二扉３が種々の状態にある場合を示す。図１１の（ａ）は第一扉２，第二扉３の両方が閉じていてガイド体１８従ってガイド体１８を上端に取付けたシール柱は冷蔵庫の開口面に平行になっていてシールができる。そして図１１の（ｂ）は第二扉３を少し開放しかけたときであり、図１１の（ｃ）は第二扉３を更に開放して行った場合である。この際ガイド体１８従ってシール柱はドアバック体に沿うようにすなわち第一扉２の後退位置に回動してゆくことが判る。更に図１１の（ｄ）において第二扉３を矢印のように閉じてゆくとガイド体１８従ってシール柱は時計方向に回動し図１１の（ａ）に示す方向に向って移動していくことが判る。
【００１７】
上記のように連動レバー６は第二扉３の突起１６によって回動し、連動レバー６の回動に対して駆動ピン１３がピン摺動長孔１２とピン案内溝９内を移動してシール柱の上端に取付たガイド体１８を時計方向または反時計方向に回動させ、シール柱４の回動を円滑に行うことができる。
【特許文献１】特開平８−１７０８７１号公報
【発明の開示】
【発明が解決しようとする課題】
【００１８】
しかしながら、上記従来の構成では、第二扉３の開閉時の開口部が広くなり使い勝手が向上するものの、シール柱駆動装置５内の駆動ピン１３が第一扉２、第二扉３の開閉時に遠心力、あるいは駆動ピン１３周辺の隙間により構成部品同士の衝突音が発生し、冷蔵庫の品位が低下する場合があるという課題を有していた。
【００１９】
本発明は、上記従来の課題を解決するもので、使い勝手を向上した上で、扉開閉時の開閉音を抑え、優れた品位の冷蔵庫を提供することを目的とする。
【課題を解決するための手段】
【００２０】
上記従来の課題を解決するために本発明の冷蔵庫は、フランジを有した駆動ピンをピン摺動長孔に挿入し、さらに駆動ピンはシール柱駆動装置に形成したピン案内溝を通じてシール柱上部のカム溝に挿入してシール柱を回動する構成とするとともに、ピン摺動長孔を形成した連動レバーとピン案内溝を形成した面との間にスペーサを駆動ピンに軸支したものである。
【００２１】
これによって、駆動ピン周辺のクリアランスを最小限に設定でき、扉開閉に連動した駆動ピン動作時のガタツキを抑えることができる。
【発明の効果】
【００２２】
本発明の冷蔵庫は、観音式扉の扉開閉時に発生していたシール柱駆動装置内の部品同士の衝突音を減少させることができ、冷蔵庫の扉開閉時の品位を高めることができる。
【発明を実施するための最良の形態】
【００２３】
請求項１に記載の発明は、外側がヒンジにより冷蔵庫に軸支持されている一対の扉をなす第一扉と第二扉を有し、第一扉が閉じられていて第二扉を開いた状態においては、第一扉の開放側に縦設したシール柱は、第一扉より第二扉に向って突出しない第一扉の後退位置に存在し、第一扉を閉じた後に第二扉を閉じた場合に、第二扉に装着した操作体によって連動して前記シール柱を第二扉に向ってその一部を回動によって突出して、前記第一扉と第二扉とシール柱とによって冷蔵庫の収納庫をシールする位置に前進し、第一扉が開いている場合は、シール柱は第二扉に向って突出しない第一扉の後退位置に回動によって存在している冷蔵庫であって、前記第二扉に装着した操作体に当接する作用部が前記収納庫の内面に設けたシール柱駆動装置内の連動レバーの一端に形成され、前記連動レバーにおいてその作用部より回動中心を越えて反対端にピン摺動長孔を形成し、フランジを有した駆動ピンを前記ピン摺動長孔に挿入し、さらに前記駆動ピンはシール柱駆動装置に形成したピン案内溝を通じてシール柱上部のカム溝に挿入してシール柱を回動する構成とするとともに、前記ピン摺動長孔を形成した連動レバーとピン案内溝を形成した面との間にスペーサを前記駆動ピンに軸支したシール柱駆動装置を備えたものであり、扉開閉時に前記連動レバーが回動しても、前記連動レバーと前記駆動ピンはガタツキなく水平方向にスムーズに運動する。これにより、前記駆動ピンが傾斜して前記ピン摺動長孔に衝突する場合よりも衝突面積を大きくすることができる。つまり前記駆動ピンと前記連動レバーの前記ピン摺動長孔との衝撃力を小さくすることが可能となる。これにより、衝突の際に発生する音を減少させ、冷蔵庫の品位を高めることができる。
【００２４】
請求項２に記載の発明は、請求項１に記載の発明において、スペーサは駆動ピンの移動するピン摺動長孔およびピン案内溝の幅よりも大きい円形状とし、厚みは連動レバーとピン案内溝を形成した面とのクリアランスと略同一としたものであり、スペーサを取り付けても駆動ピンの動作をスムーズに保ちながら衝突の際に発生する音を減少させ、冷蔵庫の品位を高めることができる。
【００２５】
請求項３に記載の発明は、請求項１または２に記載の発明において、連動レバーに形成するピン摺動長孔の円弧内側に駆動ピンが直接衝突しないよう緩衝部材を設けたものであり、扉開閉時に前記連動レバーが回動し、前記駆動ピンが遠心力により、前記ピン摺動長孔の淵に衝突する手前で、前記緩衝部材に当接することで、前記駆動ピンが前記ピン摺動長孔に当たる衝撃力を小さくすることが可能となる。これにより、遠心力が低減され前記駆動ピンによる衝突の際に発生する音をさらに減少させ、冷蔵庫の品位を高めることができる。
【００２６】
請求項４に記載の発明は、請求項１から３のいずれか一項に記載の発明において、駆動ピンを樹脂より比重の大きい金属材料で形成したものであり、前記駆動ピンは自重により、上下方向の遊びをなくし、前記連動レバーの回動で前記ピン摺動長孔に沿って平行に動くことで、前記駆動ピンによる衝突の際に発生する音を減少させ、冷蔵庫の品位を高めることができる。
【００２７】
請求項５に記載の発明は、請求項１から４のいずれか一項に記載の発明において、連動レバーのピン摺動長孔周縁に柔軟性素材を備えたものであり、前記ピン摺動長孔に設けた柔軟性素材が、前記ピン摺動長孔と前記駆動ピンの衝撃を減少させることが可能となる。これにより前記駆動ピンによる衝突の際に発生する衝撃音を減少させ、冷蔵庫の品位を高めることができる。
【００２８】
請求項６に記載の発明は、請求項１から５のいずれか一項に記載の発明において、駆動ピンの上部フランジと接するシール柱駆動装置の内部上面に、駆動ピンの動作方向に沿ってリブを設けたものであり、前記駆動ピンの上下方向の遊びを制限することが可能となる。これにより、衝突の際に発生する音を減少させ、冷蔵庫の品位を高めることができる。また、駆動ピンの上部フランジ面とリブとの接触面が小さくなり、駆動ピンのスムーズな動きが可能となる。また、接触面の減少により摺動音の低減が図れる。
【００２９】
請求項７に記載の発明は、請求項１から６のいずれか一項に記載の発明において、前記第二扉に装着した操作体に柔軟性素材を装着したものであり、前記第二扉を閉じる際に前記操作体にかぶせた柔軟性素材が前記連動レバーに形成される作用部との衝撃を小さくし、前記連動レバーから前記駆動ピンに伝わる振動を減少させ、前記連動レバーと前記駆動ピンとの衝撃を小さくすることが可能となる。これにより、前記操作体と前記作用部、前記連動レバーと前記駆動ピン、各々の部品の衝突により発生する音を減少させ、冷蔵庫の品位を高めることができる。
【００３０】
以下、本発明の実施の形態について、図面を参照しながら説明する。なお、この実施の形態によってこの発明が限定されるものではない。
【００３１】
（実施の形態１）
図１は本発明の実施の形態１における冷蔵庫のシール柱駆動装置の分解斜視図、図２は同実施の形態の冷蔵庫のシール柱駆動装置の駆動ピン周辺の要部断面図、図３は同実施の形態の冷蔵庫のシール柱駆動装置の連動レバーの平面図、図４は同実施の形態の冷蔵庫のガイド体および操作体部分の要部斜視図である。なお、従来と同一構成については同一符号を付して詳細な説明を省略する。図５は同実施の形態の冷蔵庫のシール柱駆動装置の別の連動レバーの平面図、図６は同実施の形態の冷蔵庫の第二の扉に装着した操作体の拡大図である。
【００３２】
中央に孔を有し樹脂材料で円盤状に成形したスペーサ２０は、連動レバー６ａのピン摺動長孔１２ａと下ケース部材７ｂのピン案内溝９との間に位置し、中央の孔に駆動ピン１３ａを挿入、軸支されている。そして、スペーサ２０の直径は駆動ピン１３ａの移動するピン摺動長孔１２ａおよびピン案内溝９の溝幅よりも大きく設定し、その厚みは駆動ピン１３ａをシール柱駆動装置５ａ内で上ケース部材７ａの上面まで突き当てた時の連動レバー６ａとピン案内溝９を形成した下ケース部材７ｂの内面とのクリアランスと略同一としている。
【００３３】
また、駆動ピン１３ａの上部フランジ１４と接するシール柱駆動装置５ａの上ケース部材７ａ内部上面に、駆動ピン１３ａの動作方向に沿ってリブ２３を複数設けている。
【００３４】
また、連動レバー６ａに形成するピン摺動長孔１２ａの円弧内側に駆動ピン１３ａが直接壁面に衝突しないよう緩衝部材２４をピン摺動長孔１２ａの両端部に設けている。緩衝部材２４は例えばスプリングやゴム等の弾性部材を用いる。
【００３５】
また、第二扉３に装着した操作体１６ａの突起ピン２２に柔軟性素材からなる突起カバー２１を上方から装着している。
【００３６】
なお、駆動ピン１３ａは樹脂成形したものでもよいが、樹脂より比重の大きい金属材料で形成したものを用いてもよい。
【００３７】
上記構成により、フランジ１４を有した駆動ピン１３ａをピン摺動長孔１２ａに挿入し、さらに駆動ピン１３ａはシール柱駆動装置５ａに形成したピン案内溝９を通じてシール柱４上部のカム溝１９に挿入してシール柱４を回動する構成とするとともに、ピン摺動長孔１２ａを形成した連動レバー６ａとピン案内溝９を形成した面との間にスペーサ２０を駆動ピン１３ａに軸支しているので、第二扉３の開閉時にシール柱４が第二扉３側へ突出しないことによる使い勝手の向上を図りながら、駆動ピン１３ａ周辺のクリアランスを最小限に設定でき、扉開閉に連動した駆動ピン１３ａ動作時のガタツキを抑えることで、シール柱駆動装置内の部品同士の衝突音が減少し、冷蔵庫の扉開閉時の品位を高めることができる。
【００３８】
また、スペーサ２０の直径は駆動ピン１３ａの移動するピン摺動長孔１２ａおよびピン案内溝９の溝幅よりも大きく設定し、その厚みは駆動ピン１３ａをシール柱駆動装置５ａ内で上ケース部材７ａの上面まで突き当てた時の連動レバー６ａとピン案内溝９を形成した下ケース部材７ｂの内面とのクリアランスと略同一としているので、スペーサ２０を取り付けても駆動ピン１３ａの動作をスムーズに保ちながら衝突の際に発生する音を減少させ、冷蔵庫の品位を高めることができる。
【００３９】
また、連動レバー６ａに形成するピン摺動長孔１２ａの円弧内側に駆動ピン１３ａが直接壁面に衝突しないよう緩衝部材２４をピン摺動長孔１２ａの両端部に設けているので、扉開閉時に前記連動レバー６ａが回動し、駆動ピン１３ａが遠心力により、ピン摺動長孔１２ａの淵に衝突する手前で、緩衝部材２４に当接することで、駆動ピン１３ａがピン摺動長孔１２ａに当たる衝撃力を小さくすることが可能となる。これにより、遠心力が低減され駆動ピン１３ａによる衝突の際に発生する音をさらに減少させ、冷蔵庫の品位を高めることができる。
【００４０】
また、駆動ピン１３ａの上部フランジ１４と接するシール柱駆動装置５ａの上ケース部材７ａ内部上面に、駆動ピン１３ａの動作方向に沿ってリブ２３を複数設けているので、駆動ピン１３ａの上下方向の遊びを制限することが可能となる。これにより、衝突の際に発生する音を減少させ、冷蔵庫の品位を高めることができる。また、駆動ピン１３ａの上部フランジ１４面とリブ２３との接触面が小さくなり、駆動ピン１３ａのスムーズな動きが可能となる。また、接触面の減少により摺動音の低減が図れる。
【００４１】
また、第二扉３に装着した操作体１６ａの突起ピン２２に柔軟性素材からなる突起カバー２１を上方から装着しているので、第二扉３を閉じる際に操作体１６ａの柔軟性素材の突起カバー２１が連動レバー６ａに形成される作用部１１との衝撃を小さくし、連動レバー６ａから駆動ピン１３ａに伝わる振動を減少させ、連動レバー６ａと駆動ピン１３ａとの衝撃を小さくすることが可能となる。これにより、操作体１６ａと作用部１１、連動レバー６ａと駆動ピン１３ａ、各々の部品の衝突により発生する音を減少させ、冷蔵庫の品位を高めることができる。
【００４２】
なお、駆動ピン１３ａは樹脂成形したものでもよいが、樹脂より比重の大きい金属材料で形成したものを用いた場合、駆動ピン１３ａは自重により、上下方向の遊びをなくし、連動レバー６ａの回動でピン摺動長孔１２ａに沿って平行に動くことで、駆動ピン１３ａによる衝突の際に発生する音を減少させ、冷蔵庫の品位を高めることができる。
【００４３】
また、連動レバー６ａに形成するピン摺動長孔１２ａの両端に設けた緩衝部材２４に代わり、図５に示すように、ピン摺動長孔１２ａの周縁に柔軟性素材で摺動性に優れた柔軟性部材２５を設けてもよい。この場合、駆動ピン１３ａとピン摺動長孔１２ａとの摺動時の摺動音も含めて音を低減でき、さらに冷蔵庫の品位を高めることができる。
【産業上の利用可能性】
【００４４】
以上のように、本発明にかかる冷蔵庫は、扉開閉時の部品の衝突音を低減し、商品の本来の品位を高めることができるので、観音開き式扉を有する冷凍機器等の用途にも適用できる。
【図面の簡単な説明】
【００４５】
【図１】本発明の実施の形態１における冷蔵庫のシール柱駆動装置の分解斜視図
【図２】同実施の形態の冷蔵庫のシール柱駆動装置の駆動ピン周辺の要部断面図
【図３】同実施の形態の冷蔵庫のシール柱駆動装置の連動レバーの平面図
【図４】同実施の形態の冷蔵庫のガイド体および操作体部分の要部斜視図
【図５】同実施の形態の冷蔵庫のシール柱駆動装置の別の連動レバーの平面図
【図６】同実施の形態の冷蔵庫の第二の扉に装着した操作体の拡大図
【図７】従来の両開き式の冷蔵庫の第一扉と第二扉の状態を示す概略上面図
【図８】同冷蔵庫のシール柱駆動装置の分解斜視図
【図９】同冷蔵庫のシール柱駆動装置内の連動レバー部分と、シール柱の上端に設けたガイド体との関係を示す上面図
【図１０】同冷蔵庫のガイド体および操作体部分の要部斜視図
【図１１】同冷蔵庫の第一扉と第二扉との関係をシール柱駆動装置内の状態によって説明する要部上面図
【符号の説明】
【００４６】
１    冷蔵庫
２    第一扉
３    第二扉
４    シール柱
５ａ    シール柱駆動装置
６ａ    連動レバー
９    ピン案内溝
１１    作用部
１２ａ    ピン摺動長孔
１３ａ    駆動ピン
１４    フランジ
１６    操作体
１９    カム溝
２０    スペーサ
２１    突起カバー
２３    リブ
２４    緩衝部材
２５    柔軟性部材
【図１】
2005156106.tif 000003
【図２】
2005156106.tif 000004
【図３】
2005156106.tif 000005
【図４】
2005156106.tif 000006
【図５】
2005156106.tif 000007
【図６】
2005156106.tif 000008
【図７】
2005156106.tif 000009
【図８】
2005156106.tif 000010
【図９】
2005156106.tif 000011
【図１０】
2005156106.tif 000012
【図１１】
2005156106.tif 000013